【手続補正書】
【提出日】平成17年2月18日(2005.2.18)
【手続補正１】
【補正対象書類名】明細書
【補正対象項目名】特許請求の範囲
【補正方法】変更
【補正の内容】
【特許請求の範囲】
【請求項１】
撮像手段と、
動画撮影を前記撮像手段に実行させる第１の撮影制御手段と、
この第１の撮影制御手段による動画撮影により得られた動画データを画像記録手段に記録する第１の記録制御手段と、
静止画記録を指示する記録指示手段と、
前記第１の撮影制御手段による動画撮影実行中に前記記録指示手段により静止画記録が指示された場合、該指示タイミングの静止画データを取得する静止画取得手段と、
この静止画取得手段により取得された静止画データを画像記録手段に記録する第２の記録制御手段と、
前記第１の撮影制御手段による動画撮影実行中に前記記録指示手段により静止画記録が指示された場合、該指示タイミングの静止画データを、前記第１の記録制御手段により画像記録手段に記録された動画データのインデックス画像データとして再生するインデックス画像再生手段と、
を備えたことを特徴とする電子カメラ。
【請求項２】
前記静止画取得手段により取得された静止画データを、前記第１の記録制御手段により画像記録手段に記録された動画データのインデックス画像データとして画像記録手段に記録する第３の記録制御手段を更に備え、
前記インデックス画像再生手段は、前記第３の記録制御手段により画像記録手段に記録されたインデックス画像データを、前記動画データのインデックス画像データとして再生することを特徴とする請求項１記載の電子カメラ。
【請求項３】
前記静止画取得手段により取得された静止画データの画像サイズを縮小するサイズ縮小手段を更に備え、
前記第３の記録制御手段は、前記サイズ縮小手段により画像サイズが縮小された静止画データを、前記動画データのインデックス画像データとして画像記録手段に記録することを特徴とする請求項２記載の電子カメラ。
【請求項４】
前記第３の記録制御手段は、前記静止画取得手段により取得された静止画データを、前記動画データと関連付けて画像記録手段に記録し、
前記インデックス画像再生手段は、前記第３の記録制御手段により前記動画データと関連付けて画像記録手段に記録されたインデックス画像データを、前記動画データのインデックス画像データとして再生することを特徴とする請求項２又は３記載の電子カメラ。
【請求項５】
前記第１の撮影制御手段による動画撮影により得られた動画データに基づき動画ファイルを生成する動画ファイル生成手段を更に備え、
前記第１の記録制御手段は、前記動画ファイル生成手段により生成された動画ファイルを画像記録手段に記録し、
前記第３の記録制御手段は、前記静止画取得手段により取得された静止画データを、前記第１の記録制御手段により画像記録手段に記録される動画ファイルの付帯データとして記録し、
前記インデックス画像再生手段は、前記第３の記録制御手段により前記動画ファイルの付帯データとして記録された静止画データを、前記動画データのインデックス画像データとして再生することを特徴とする請求項４記載の電子カメラ。
【請求項６】
前記第３の記録制御手段は、前記静止画取得手段により取得された静止画データを、前記第１の記録制御手段により画像記録手段に記録される動画データの先頭画像データとして画像記録手段に記録し、
前記インデックス画像再生手段は、前記第３の記録制御手段により前記動画データの先頭画像データとして記録された静止画データを、前記動画データのインデックス画像データとして再生することを特徴とする請求項４記載の電子カメラ。
【請求項７】
前記第１の撮影制御手段による動画撮影実行中に前記記録指示手段により静止画記録が指示された場合、該指示タイミングを特定するタイミング情報を前記動画データと関連付けて記録する第３の記録制御手段と、
前記画像記録手段に動画データと関連付けて記録されているタイミング情報に基づき、動画データ中から静止画記録が指示されたタイミングの静止画データを抽出する静止画抽出手段とを更に備え、
前記インデックス画像再生手段は、前記静止画抽出手段により抽出された静止画データを、前記動画データのインデックス画像データとして再生することを特徴とする請求項１記載の電子カメラ。
【請求項８】
前記タイミング情報は、フラグ情報、又は動画フレーム番号情報、又は動画撮影開始時刻と静止画記録指示時刻情報、又は動画撮影を開始してから静止画記録が指示されるまでの経過時間情報を含むことを特徴とする請求項７記載の電子カメラ。
【請求項９】
前記第２の記録制御手段は、前記静止画取得手段により取得された静止画データを、前記第１の記録制御手段により画像記録手段に記録された動画データと関連付けて記録し、
前記インデックス画像再生手段は、前記画像記録手段に動画データと関連付けて記録されている静止画データを、前記動画データのインデックス画像データとして再生することを特徴とする請求項１記載の電子カメラ。
【請求項１０】
静止画撮影を前記撮像手段に実行させる第２の撮影制御手段を更に備え、
前記記録指示手段は、静止画撮影及び静止画記録を指示する手段であり、
前記第２の撮影制御手段は、前記記録指示手段により静止画撮影及び静止画記録が指示された場合に静止画撮影を前記撮像手段に実行させ、
前記静止画取得手段は、前記記録指示手段により静止画撮影及び静止画記録が指示された場合、前記第２の撮影制御手段による静止画撮影により得られた静止画データを取得することを特徴とする請求項１乃至９のいずれかに記載の電子カメラ。
【請求項１１】
前記静止画取得手段は、前記記録指示手段により静止画記録が指示された場合、該指示タイミングの静止画データを、前記第１の撮影制御手段による動画撮影により得られる動画データ中から取得することを特徴とする請求項１乃至９のいずれかに記載の電子カメラ。
【請求項１２】
静止画を撮影する静止画撮像手段を更に備え、
前記記録指示手段は、静止画撮影及び静止画記録を指示する手段であり、
前記記録指示手段により静止画撮影及び静止画記録が指示された場合に静止画撮影を前記静止画撮像手段に実行させる第２の撮影制御手段を更に備え、
前記静止画取得手段は、前記記録指示手段により静止画撮影及び静止画記録が指示された場合、前記第２の撮影制御手段による静止画撮影により得られた静止画データを取得することを特徴とする請求項１乃至９のいずれかに記載の電子カメラ。
【請求項１３】
前記静止画取得手段は、前記第１の撮影制御手段による動画撮影実行中に前記記録指示手段により静止画記録が複数回指示された場合、該指示タイミングの静止画データを複数取得し、
前記第２の記録制御手段は、前記静止画取得手段により取得された複数の静止画データを画像記録手段に記録し、
前記インデックス画像再生手段は、前記第１の撮影制御手段による動画撮影実行中に前記記録指示手段により静止画記録が複数回指示された場合、該複数回の指示タイミングの静止画データのうち所定の条件に合致する静止画データを、前記第１の記録制御手段により画像記録手段に記録された動画データのインデックス画像データとして再生することを特徴とする請求項１乃至１２のいずれかに記載の電子カメラ。
【請求項１４】
前記第１の撮影制御手段による動画撮影実行中に前記記録指示手段により静止画記録が指示されたか否かを判断する判断手段を更に備え、
前記インデックス画像再生手段は、前記判断手段により静止画撮影が指示されていないと判断された場合、前記第１の記録制御手段により画像記録手段に記録された動画データの先頭画像データを、該動画データのインデックス画像データとして再生することを特徴とする請求項１乃至１３のいずれかに記載の電子カメラ。
【請求項１５】
前記インデックス画像再生手段は、複数回の指示タイミングの静止画データを、前記第１の記録制御手段により画像記録手段に記録された複数の動画データのインデックス画像データとして再生する手段を含み、
前記インデックス画像再生手段により再生された複数の静止画データの中から任意の静止画データを選択する選択手段と、
この選択手段により選択された静止画データに対応する動画データを再生する動画再生手段と
を備えたことを特徴とする請求項１乃至１４のいずれかに記載の電子カメラ。
【請求項１６】
画像記録手段に記録されている動画の代表画像を再生する画像再生装置において、
撮影中に静止画撮影が実行されていた動画の代表画像として、前記静止画撮影の実行時期に取得された撮影画像に基づく画像を再生する再生手段を備えたことを特徴とする画像再生装置。
【請求項１７】
前記代表画像は前記動画の先頭画像であり、前記再生手段はその先頭画像を再生することを特徴とする請求項１６記載の画像再生装置。
【請求項１８】
前記再生手段は、撮影中に静止画撮影が実行されていた動画の代表画像として、前記画像記録手段に記録されているとともに代表画像の再生対象となる動画と関連付けられている静止画に基づく画像を再生することを特徴とする請求項１６記載の画像再生装置。
【請求項１９】
前記再生手段は、撮影中に静止画撮影が実行されていた動画から、静止画撮影の実行時期に対応する画像を抽出し、抽出した画像を当該動画の代表画像として再生することを特徴とする請求項１６記載の画像再生装置。
【請求項２０】
電子カメラが有するコンピュータに、
動画撮影を撮像手段に実行させる処理と、
前記動画撮影実行中に静止画記録が指示された場合、該指示タイミングの静止画データを取得する処理と、
前記動画撮影により得られる動画データ及び前記取得された静止画データを画像記録手段に記録する処理と、
前記動画撮影実行中に静止画記録が指示された場合、該指示タイミングの静止画データを、前記画像記録手段に記録された動画データのインデックス画像データとして再生する処理と、
を実行させることを特徴とするプログラム。
【手続補正２】
【補正対象書類名】明細書
【補正対象項目名】０００７
【補正方法】変更
【補正の内容】
【０００７】
【課題を解決するための手段】
前記課題を解決するために本発明の請求項１の発明にあっては、撮像手段と、動画撮影を前記撮像手段に実行させる第１の撮影制御手段と、この第１の撮影制御手段による動画撮影により得られた動画データを画像記録手段に記録する第１の記録制御手段と、静止画記録を指示する記録指示手段と、前記第１の撮影制御手段による動画撮影実行中に前記記録指示手段により静止画記録が指示された場合、該指示タイミングの静止画データを取得する静止画取得手段と、この静止画取得手段により取得された静止画データを画像記録手段に記録する第２の記録制御手段と、前記第１の撮影制御手段による動画撮影実行中に前記記録指示手段により静止画記録が指示された場合、該指示タイミングの静止画データを、前記第１の記録制御手段により画像記録手段に記録された動画データのインデックス画像データとして再生するインデックス画像再生手段と、を備えたことを特徴とする電子カメラとした。
【手続補正３】
【補正対象書類名】明細書
【補正対象項目名】０００８
【補正方法】変更
【補正の内容】
【０００８】
かかる構成においては、その撮影中に静止画撮影があった動画のインデックス画像データとして、静止画記録が指示されたタイミングの静止画データ、つまり動画撮影中におけるユーザーの関心が他の場面よりも高かった場面の画像が記録される。また、撮影中に静止画撮影があった動画のインデックス画像データを、自己において表示することができる。
【手続補正４】
【補正対象書類名】明細書
【補正対象項目名】０００９
【補正方法】変更
【補正の内容】
【０００９】
また、請求項２の発明にあっては、前記静止画取得手段により取得された静止画データを、前記第１の記録制御手段により画像記録手段に記録された動画データのインデックス画像データとして画像記録手段に記録する第３の記録制御手段を更に備え、前記インデックス画像再生手段は、前記第３の記録制御手段により画像記録手段に記録されたインデックス画像データを、前記動画データのインデックス画像データとして再生するものとした。
【手続補正５】
【補正対象書類名】明細書
【補正対象項目名】００１０
【補正方法】変更
【補正の内容】
【００１０】
かかる構成においては、その撮影中に静止画撮影があった動画のインデックス画像データとして、静止画撮影により取得された静止画データ、つまり動画撮影中におけるユーザーの関心が他の場面よりも高かった場面の画像に基づく画像が記録される。また、撮影中に静止画撮影があった動画のインデックス画像データを、自己において表示することができる。
【手続補正６】
【補正対象書類名】明細書
【補正対象項目名】００１１
【補正方法】変更
【補正の内容】
【００１１】
また、請求項３の発明にあっては、前記静止画取得手段により取得された静止画データの画像サイズを縮小するサイズ縮小手段を更に備え、前記第３の記録制御手段は、前記サイズ縮小手段により画像サイズが縮小された静止画データを、前記動画データのインデックス画像データとして画像記録手段に記録するものとした。
【手続補正７】
【補正対象書類名】明細書
【補正対象項目名】００１２
【補正方法】変更
【補正の内容】
【００１２】
また、請求項４の発明にあっては、前記第３の記録制御手段は、前記静止画取得手段により取得された静止画データを、前記動画データと関連付けて画像記録手段に記録し、前記インデックス画像再生手段は、前記第３の記録制御手段により前記動画データと関連付けて画像記録手段に記録されたインデックス画像データを、前記動画データのインデックス画像データとして再生するものとした。
【手続補正８】
【補正対象書類名】明細書
【補正対象項目名】００１３
【補正方法】変更
【補正の内容】
【００１３】
かかる構成においては、その撮影中に静止画撮影があった動画のインデックス画像データの再生時には、静止画撮影により取得された静止画データ、つまり動画撮影中におけるユーザーの関心が他の場面よりも高かった場面の画像が再生される。
【手続補正９】
【補正対象書類名】明細書
【補正対象項目名】００１４
【補正方法】変更
【補正の内容】
【００１４】
また、請求項５の発明にあっては、前記第１の撮影制御手段による動画撮影により得られた動画データに基づき動画ファイルを生成する動画ファイル生成手段を更に備え、前記第１の記録制御手段は、前記動画ファイル生成手段により生成された動画ファイルを画像記録手段に記録し、前記第３の記録制御手段は、前記静止画取得手段により取得された静止画データを、前記第１の記録制御手段により画像記録手段に記録される動画ファイルの付帯データとして記録し、前記インデックス画像再生手段は、前記第３の記録制御手段により前記動画ファイルの付帯データとして記録された静止画データを、前記動画データのインデックス画像データとして再生するものとした。
【手続補正１０】
【補正対象書類名】明細書
【補正対象項目名】００１５
【補正方法】変更
【補正の内容】
【００１５】
また、請求項６の発明にあっては、前記第３の記録制御手段は、前記静止画取得手段により取得された静止画データを、前記第１の記録制御手段により画像記録手段に記録される動画データの先頭画像データとして画像記録手段に記録し、前記インデックス画像再生手段は、前記第３の記録制御手段により前記動画データの先頭画像データとして記録された静止画データを、前記動画データのインデックス画像データとして再生するものとした。
【手続補正１１】
【補正対象書類名】明細書
【補正対象項目名】００１６
【補正方法】変更
【補正の内容】
【００１６】
かかる構成においては、その撮影中に静止画撮影があったとき、撮影された動画は、その先頭画像を、静止画撮影により取得された静止画データ、つまり動画撮影中におけるユーザーの関心が他の場面よりも高かった場面の画像に変更された状態で記録される。
【手続補正１２】
【補正対象書類名】明細書
【補正対象項目名】００１７
【補正方法】変更
【補正の内容】
【００１７】
また、請求項７の発明にあっては、前記第１の撮影制御手段による動画撮影実行中に前記記録指示手段により静止画記録が指示された場合、該指示タイミングを特定するタイミング情報を前記動画データと関連付けて記録する第３の記録制御手段と、前記画像記録手段に動画データと関連付けて記録されているタイミング情報に基づき、動画データ中から静止画記録が指示されたタイミングの静止画データを抽出する静止画抽出手段とを更に備え、前記インデックス画像再生手段は、前記静止画抽出手段により抽出された静止画データを、前記動画データのインデックス画像データとして再生するものとした。
かかる構成においては、その撮影中に静止画撮影があった動画のインデックス画像データの再生時には、静止画記録が指示されたタイミングのフレーム画像、つまり動画撮影中におけるユーザーの関心が他の場面よりも高かった場面の画像が再生される。
【手続補正１３】
【補正対象書類名】明細書
【補正対象項目名】００１８
【補正方法】変更
【補正の内容】
【００１８】
また、請求項８の発明にあっては、前記タイミング情報は、フラグ情報、又は動画フレーム番号情報、又は動画撮影開始時刻と静止画記録指示時刻情報、又は動画撮影を開始してから静止画記録が指示されるまでの経過時間情報を含むものとした。
【手続補正１４】
【補正対象書類名】明細書
【補正対象項目名】００１９
【補正方法】変更
【補正の内容】
【００１９】
また、請求項９の発明にあっては、前記第２の記録制御手段は、前記静止画取得手段により取得された静止画データを、前記第１の記録制御手段により画像記録手段に記録された動画データと関連付けて記録し、前記インデックス画像再生手段は、前記画像記録手段に動画データと関連付けて記録されている静止画データを、前記動画データのインデックス画像データとして再生するものとした。
かかる構成においては、その撮影中に静止画撮影があった動画のインデックス画像データの再生時には、静止画撮影により取得された静止画データ、つまり動画撮影中におけるユーザーの関心が他の場面よりも高かった場面の画像が再生される。
【手続補正１５】
【補正対象書類名】明細書
【補正対象項目名】００２０
【補正方法】変更
【補正の内容】
【００２０】
また、請求項１０の発明にあっては、静止画撮影を前記撮像手段に実行させる第２の撮影制御手段を更に備え、前記記録指示手段は、静止画撮影及び静止画記録を指示する手段であり、前記第２の撮影制御手段は、前記記録指示手段により静止画撮影及び静止画記録が指示された場合に静止画撮影を前記撮像手段に実行させ、前記静止画取得手段は、前記記録指示手段により静止画撮影及び静止画記録が指示された場合、前記第２の撮影制御手段による静止画撮影により得られた静止画データを取得するものとした。
また、請求項１１の発明にあっては、前記静止画取得手段は、前記記録指示手段により静止画記録が指示された場合、該指示タイミングの静止画データを、前記第１の撮影制御手段による動画撮影により得られる動画データ中から取得するものとした。
また、請求項１２の発明にあっては、静止画を撮影する静止画撮像手段を更に備え、前記記録指示手段は、静止画撮影及び静止画記録を指示する手段であり、前記記録指示手段により静止画撮影及び静止画記録が指示された場合に静止画撮影を前記静止画撮像手段に実行させる第２の撮影制御手段を更に備え、前記静止画取得手段は、前記記録指示手段により静止画撮影及び静止画記録が指示された場合、前記第２の撮影制御手段による静止画撮影により得られた静止画データを取得するものとした。
また、請求項１３の発明にあっては、前記静止画取得手段は、前記第１の撮影制御手段による動画撮影実行中に前記記録指示手段により静止画記録が複数回指示された場合、該指示タイミングの静止画データを複数取得し、前記第２の記録制御手段は、前記静止画取得手段により取得された複数の静止画データを画像記録手段に記録し、前記インデックス画像再生手段は、前記第１の撮影制御手段による動画撮影実行中に前記記録指示手段により静止画記録が複数回指示された場合、該複数回の指示タイミングの静止画データのうち所定の条件に合致する静止画データを、前記第１の記録制御手段により画像記録手段に記録された動画データのインデックス画像データとして再生するものとした。
また、請求項１４の発明にあっては、前記第１の撮影制御手段による動画撮影実行中に前記記録指示手段により静止画記録が指示されたか否かを判断する判断手段を更に備え、前記インデックス画像再生手段は、前記判断手段により静止画撮影が指示されていないと判断された場合、前記第１の記録制御手段により画像記録手段に記録された動画データの先頭画像データを、該動画データのインデックス画像データとして再生するものとした。
また、請求項１５の発明にあっては、前記インデックス画像再生手段は、複数回の指示タイミングの静止画データを、前記第１の記録制御手段により画像記録手段に記録された複数の動画データのインデックス画像データとして再生する手段を含み、前記インデックス画像再生手段により再生された複数の静止画データの中から任意の静止画データを選択する選択手段と、この選択手段により選択された静止画データに対応する動画データを再生する動画再生手段とを備えたものとした。
【手続補正１６】
【補正対象書類名】明細書
【補正対象項目名】００２１
【補正方法】変更
【補正の内容】
【００２１】
また、請求項１６の発明にあっては、画像記録手段に記録されている動画の代表画像を再生する画像再生装置において、撮影中に静止画撮影が実行されていた動画の代表画像として、前記静止画撮影の実行時期に取得された撮影画像に基づく画像を再生する再生手段を備えたものとした。
【手続補正１７】
【補正対象書類名】明細書
【補正対象項目名】００２２
【補正方法】変更
【補正の内容】
【００２２】
かかる構成においては、撮影中に静止画撮影が実行されていた動画の代表画像の再生時には、前記静止画撮影の実行時期に取得された撮影画像に基づく画像、つまり動画撮影中におけるユーザーの関心が他の場面よりも高かった場面の画像が代表画像として再生される。
【手続補正１８】
【補正対象書類名】明細書
【補正対象項目名】００２３
【補正方法】変更
【補正の内容】
【００２３】
また、請求項１７の発明にあっては、前記代表画像は前記動画の先頭画像であり、前記再生手段はその先頭画像を再生するものとした。
【手続補正１９】
【補正対象書類名】明細書
【補正対象項目名】００２４
【補正方法】変更
【補正の内容】
【００２４】
かかる構成においては、撮影中に静止画撮影が実行されていた動画の代表画像の再生時には、静止画撮影の実行時期に取得された撮影画像に基づく先頭画像、つまり動画撮影中におけるユーザーの関心が他の場面よりも高かった場面の画像が代表画像として再生される。
【手続補正２０】
【補正対象書類名】明細書
【補正対象項目名】００２５
【補正方法】変更
【補正の内容】
【００２５】
また、請求項１８の発明にあっては、前記再生手段は、撮影中に静止画撮影が実行されていた動画の代表画像として、前記画像記録手段に記録されているとともに代表画像の再生対象となる動画と関連付けられている静止画に基づく画像を再生するものとした。
【手続補正２１】
【補正対象書類名】明細書
【補正対象項目名】００２６
【補正方法】変更
【補正の内容】
【００２６】
かかる構成においては、撮影中に静止画撮影が実行されていた動画の代表画像の再生時には、その動画と関連付けられて記憶されている静止画に基づく画像、つまり動画撮影中におけるユーザーの関心が他の場面よりも高かった場面の画像が代表画像として再生される。
【手続補正２２】
【補正対象書類名】明細書
【補正対象項目名】００２７
【補正方法】変更
【補正の内容】
【００２７】
また、請求項１９の発明にあっては、前記再生手段は、撮影中に静止画撮影が実行されていた動画から、静止画撮影の実行時期に対応する画像を抽出し、抽出した画像を当該動画の代表画像として再生するものとした。
【手続補正２３】
【補正対象書類名】明細書
【補正対象項目名】００２８
【補正方法】変更
【補正の内容】
【００２８】
かかる構成においては、撮影中に静止画撮影が実行されていた動画の代表画像の再生時には、その動画における静止画撮影の実行時期に対応するフレーム画像、つまり動画撮影中におけるユーザーの関心が他の場面よりも高かった場面の画像が代表画像として再生される。
【手続補正２４】
【補正対象書類名】明細書
【補正対象項目名】００２９
【補正方法】変更
【補正の内容】
【００２９】
また、請求項２０の発明にあっては、電子カメラが有するコンピュータに、動画撮影を撮像手段に実行させる処理と、前記動画撮影実行中に静止画記録が指示された場合、該指示タイミングの静止画データを取得する処理と、前記動画撮影により得られる動画データ及び前記取得された静止画データを画像記録手段に記録する処理と、前記動画撮影実行中に静止画記録が指示された場合、該指示タイミングの静止画データを、前記画像記録手段に記録された動画データのインデックス画像データとして再生する処理と、を実行させることを特徴とするプログラムとした。
【手続補正２５】
【補正対象書類名】明細書
【補正対象項目名】００６１
【補正方法】変更
【補正の内容】
【００６１】
【発明の効果】
以上説明したように本発明の電子カメラにあっては、静止画が同時撮影されていた動画について、その内容を示すより適切な代表画像の取得が可能となる。
【手続補正２６】
【補正対象書類名】明細書
【補正対象項目名】００６２
【補正方法】変更
【補正の内容】
【００６２】
また、他の装置を必要とすることなく前記動画の代表画像をユーザーに示すことができ、使い勝手がよい。
【手続補正２７】
【補正対象書類名】明細書
【補正対象項目名】００６３
【補正方法】変更
【補正の内容】
【００６３】
また、その撮影中に静止画撮影があった動画の代表画像の再生時には、動画撮影中におけるユーザーの関心が他の場面よりも高かった場面のフレーム画像が代表画像として再生されるようにした。よって、静止画が同時撮影されていた動画について、その内容を示すより適切な代表画像を取得するとともに、それを他の装置を必要とすることなくユーザーに示すことが可能となる。
【手続補正２８】
【補正対象書類名】明細書
【補正対象項目名】００６４
【補正方法】変更
【補正の内容】
【００６４】
また、本発明の画像再生装置にあっては、撮影中に静止画撮影が実行されていた動画の代表画像の再生時には、動画撮影中におけるユーザーの関心が他の場面よりも高かった場面の画像が代表画像として再生されるようにした。よって、静止画が同時撮影されていた動画について、その内容を示すより適切な代表画像をユーザーに示すことが可能となる。
【手続補正２９】
【補正対象書類名】明細書
【補正対象項目名】００６５
【補正方法】変更
【補正の内容】
【００６５】
また、本発明のプログラムにあっては、それを用いることにより、本発明の電子カメラを実現することができる。